(57)【特許請求の範囲】
【請求項１】
被検者を乗せる寝台を有したＸ線ＣＴ装置において、
前記寝台に備え付けられ接触を検知する接触検知部と、
前記接触検知部の検知に基づき前記寝台の動作を制御する寝台制御部と、
を備え、
前記寝台制御部は、前記寝台が垂直方向に停止中に、前記接触検知部が接触を検知すると、前記寝台の水平方向の固定または固定解除をすることを特徴とするＸ線ＣＴ装置。
【請求項２】
請求項１に記載のＸ線ＣＴ装置において、
前記寝台制御部は、前記寝台が垂直方向に移動中に、前記接触検知部が接触を検知すると、前記寝台の垂直方向の移動を停止させることを特徴とするＸ線ＣＴ装置。
【請求項３】
請求項１または２に記載のＸ線ＣＴ装置において、
前記接触検知部は、前記寝台の下方に備えられ、前記寝台の長手方向に延在することを特徴とするＸ線ＣＴ装置。
【発明の詳細な説明】
【技術分野】
【０００１】
本発明は、被検者を乗せる寝台を有したX線CT装置に係り、特に前記寝台の下降時の安全性を確保する機能と、走査位置を変更する為に自由に水平方向移動ができる機能とを同時に備えたX線CT装置に関するものである。
【背景技術】
【０００２】
従来、ストレッチャなどの患者移送装置からX線CT装置の寝台への患者の移し替えは特許文献1に記載されるように行なわれる。具体的にはストレッチャと寝台間で又は2台の寝台間で共用の天板と、ストレッチャか寝台又は2台の寝台のうちの少なくともいずれか一方の天板装着部の高さを他方の天板装着部に合わせる高さ調整機構と、天板装着部の高さが合わされたストレッチャ及び寝台間又は2台の寝台間での天板移動を案内する天板案内機構と、この天板案内機構で案内されて移動された天板を所定位置で固定する天板固定機構とを設け、ストレッチャと寝台間又は2台の寝台間の被検体移載を天板と共に行えるようにする。これにより、迅速な被検体移載が要求される場合において、ストレッチャと医用画像診断装置と寝台との間、また、異なる医用画像診断装置の寝台間での被検体移載時における労力、手間の軽減、被検体への負担軽減、更に患者からのカテーテル離脱の危険性の低減が図れる。
【特許文献１】特開平7-148156号公報
【発明の開示】
【発明が解決しようとする課題】
【０００３】
しかし、被検者が寝台を乗り降りするため、寝台は垂直方向に移動し高さを変更できる機構を持つが、ストレッチャーや車椅子が寝台の近くにあった場合、寝台を下降させたときに寝台とストレッチャーや車椅子との接触回避について配慮されていない。
【０００４】
本発明の目的は、寝台高さ調整時に寝台とストレッチャーや車椅子との接触を可能なX線CT装置を提供することにある。
【課題を解決するための手段】
【０００５】
上記目的は，被検者を乗せる寝台を有したX線CT装置において、前記寝台に備え付けられ接触を検知する接触検知部と、前記接触検知部の検知に基づき前記寝台の動作を制御する寝台制御部と、を備えたことで達成される。
【発明の効果】
【０００６】
本発明によれば、寝台高さ調整時に寝台とストレッチャや車椅子との接触を回避することができる。
【発明を実施するための最良の形態】
【０００７】
以下、本発明の一実施形態を説明する。
X線CT装置は、寝台の可動部を水平方向に移動させ、その位置で走査することにより、被検者のさまざまな部分の断層画像を採取し、また、連続的に走査しながら寝台を水平方向に移動させ、螺旋状に被検者を走査することにより一時に大量の断層画像を採取することが可能である。
【０００８】
寝台は、寝台固定部と、垂直可動部、水平可動部から構成される。垂直可動部は固定部とリンク機構等により連結され、垂直移動する。また、水平可動部はベルトもしくはボールネジ等によって垂直可動部の上を水平移動する。このことで、水平可動部に乗った被検者は垂直移動ならびに水平移動することができる。
【０００９】
寝台の水平可動部は、操作者による移動ボタンの押下による位置合わせか、操作時のCT装置を制御するCPUからの信号によりベルトもしくはボールネジ等が駆動することによって動作し、通常は、寝台の水平可動部は垂直可動部の上を自由に水平移動することが出来ない。
加えて、緊急時に寝台可動部をスキャナ内から退避させるために、寝台の水平可動部の固定を解除し、自由に水平方向移動ができるような機構も設けている。
水平可動部の固定／解除は、水平可動部の最後端にあるグリップを回したり、グリップ横に配置したボタンを押下したりすること、垂直可動部と水平可動部の間のラッチもしくはクラッチ等を解除することで実現される。
【００１０】
図1には、本発明によるX線CT装置の概略構成を、図2には、本発明によるX線CT装置のブロック図を表す。
図1に示すように、寝台垂直可動部003の下方にテープ状のスイッチ002(テープ状でなくとも、直線状に連続したスイッチ群でも良い)を取り付ける。
【００１１】
図2に示すように、このスイッチ002のON/OFF信号は寝台制御CPU007へと送られる．寝台制御CPU007は、主制御CPU006から寝台垂直可動部003の下降を指示する信号を受けていないときにスイッチ002からON信号を受けた場合、寝台水平可動部004の固定を解除するとともに、寝台水平可動部004の固定を解除したという信号を主制御CPU 006へ送信する。主制御CPU006は、寝台水平可動部004の固定を解除したということ操作者に示すため、スキャナ001のLED005を点灯させる。主制御CPU006から寝台垂直可動部003の下降を指示する信号を受けていないときに、再び寝台制御CPU007がスイッチ001からON信号を受けた場合は、寝台水平可動部004を固定するとともに、寝台水平可動部004を固定したという信号を主制御CPU003へ送信する。主制御CPU006は、寝台水平可動部004の固定を解除したということを示すLED005を消灯させる。
ただし、寝台制御CPU007は、主制御CPU006から寝台垂直可動部003の下降を指示する信号を受けているときにスイッチ001からON信号を受けたとき、寝台制御CPU007は直ちに寝台垂直可動部003の下降を停止し、主制御CPU006に停止信号を送信する。
【００１２】
本実施形態によって、寝台のそばであればどこでも寝台下部にあるスイッチを押下して水平可動部の固定を解除し、手動で寝台の水平可動部を移動させることがでるため、緊急退避時に迅速に対応することができ、安全性が向上する。また，緊急退避時のみならず、被検者を走査位置に合わせるために手動で寝台の水平可動部を移動させるには、寝台のそばであればどこでも水平可動部を固定／解除できることは非常に有用である。
【００１３】
さらに、寝台下降時にはスイッチの機能が切り替わるため、寝台下降時においても寝台の下にものを挟み込み、スイッチが押下されて誤って寝台の水平可動部の固定が解除されることを防止し、さらに寝台下降時にスイッチが押下されたことを検知して下降動作を停止することで挟み込み防止となり、更なる安全性を確保できる。
【００１４】
なお、本実施形態では寝台の下降時を例に説明したが、寝台の上昇時に被検者移送装置に接触する可能性かある場合でも、本発明の実施に含まれる。
【図面の簡単な説明】
【００１５】
【図１】X線CT装置の概略構成。
【図２】X線CT装置のブロック図。
【符号の説明】
【００１６】
001  スキャナ、002  テープ状スイッチ、003  寝台垂直可動部、004  寝台水平可動部、  005  LED、主制御CPU、007  寝台制御CPU
【図１】
0004699178.tif 000002
【図２】
0004699178.tif 000003